【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
複数の伝送端末がコンテンツデータを送受信するためのセッションであって、前記伝送端末それぞれが参加および退出可能なセッションを管理する伝送管理システムと、
前記複数の伝送端末それぞれの通信料金とは異なる料金であって、前記セッションへ前記複数の伝送端末が参加することによって生じる参加料金を、前記伝送端末毎に管理する料金管理システムと、
を備える伝送システムにおいて、
前記伝送管理システムは、
第１および第２の伝送端末のそれぞれが前記セッションへ参加した時間を示す参加日時と、前記第１および第２の伝送端末のそれぞれが前記セッションから退出した時間を示す退出日時と、を含む履歴情報を管理する参加履歴管理部を備え、
前記料金管理システムは、
前記参加履歴管理部に管理されている前記履歴情報に含まれる前記第１および第２の伝送端末のそれぞれの前記参加日時と前記退出日時とに基づく前記第１および第２の伝送端末のそれぞれの参加時間に応じて、前記第１および第２の伝送端末のそれぞれの通信料金とは異なる料金であって、前記セッションへ参加することによって生じる前記第１および第２の伝送端末のそれぞれの参加料金を、それぞれ算出する参加料金算出部を備えること
を特徴とする伝送システム。
【請求項２】
前記伝送管理システムは、
前記複数の伝送端末それぞれから、各伝送端末の通信状態に関する情報を受信する受信部と、
前記受信部によって受信した情報に含まれる前記通信状態と、前記情報の送信元の伝送端末を識別するための端末識別情報とを関連付けて記憶する生履歴情報記憶部と、
を有し、
前記通信状態は、伝送端末が会話へ参加することを示す第１の通信状態と、伝送端末が会話から退出することを示す第２の通信状態とを含み、
前記参加履歴管理部によって管理される履歴情報は、前記生履歴情報記憶部に記憶される第１および第２の通信状態に基づいて生成された情報であることを特徴とする請求項１に記載の伝送システム。
【請求項３】
前記参加履歴管理部によって管理される履歴情報は、前記第１および第２の伝送端末が参加および退出したセッションを開始した時間を示す開始日時と、終了した時間を示す終了日時を含み、前記参加日時および前記退出日時は、前記開始日時と終了日時の間であることを特徴とする請求項１又は２に記載の伝送システム。
【請求項４】
前記料金管理システムは、前記伝送端末の利用者を識別するための利用者識別情報、及び当該利用者が利用する伝送端末を識別するための端末識別情報を関連付けて管理する利用者管理手段を有し、
前記利用者管理手段は、更に、前記利用者識別情報毎に当該利用者識別情報で示される利用者の電子メールアドレスを管理しており、
前記料金管理システムは、前記利用者管理手段を参照し、前記第１および第２の伝送端末それぞれの参加料金が請求される前記第１および第２の伝送端末それぞれの利用者の利用者識別情報に対応する電子メールアドレスに対して、前記参加料金を請求するための電子メールをそれぞれ送信する請求手段を有すること
を特徴とする請求項１乃至３のいずれか一項に記載の伝送システム。
【請求項５】
前記参加履歴管理部に記憶される前記履歴情報は、前記参加日時および前記退出日時に基づく前記参加時間を含むことを特徴とする請求項１乃至４のいずれか一項に記載の伝送システム。
【請求項６】
前記コンテンツデータは少なくとも画像データおよび音声データを含むことを特徴とする請求項１乃至５のいずれか一項に記載の伝送システム。
【請求項７】
前記セッションは、前記複数の伝送端末間で前記コンテンツデータを送受信することによって会話を実施するためのセッションであることを特徴とする請求項１乃至６のいずれか一項に記載の伝送システム。
【請求項８】
前記参加時間は、各伝送端末が前記会話に参加した参加時間であることを特徴とする請求項７に記載の伝送システム。
【請求項９】
複数の伝送端末がコンテンツデータを送受信するためのセッションであって、前記伝送端末それぞれが参加および退出可能なセッションを管理し、
前記複数の伝送端末それぞれの通信料金とは異なる料金であって、前記セッションへ前記複数の伝送端末が参加することによって生じる参加料金を、前記伝送端末毎に管理する
伝送システムにおいて、
第１および第２の伝送端末のそれぞれが前記セッションへ参加した時間を示す参加日時と、前記第１および第２の伝送端末のそれぞれが前記セッションから退出した時間を示す退出日時と、を含む履歴情報を管理する参加履歴管理部と、
前記参加履歴管理部に管理されている前記履歴情報に含まれる前記第１および第２の伝送端末のそれぞれの前記参加日時と前記退出日時とに基づく前記第１および第２の伝送端末のそれぞれの参加時間に応じて、前記第１および第２の伝送端末のそれぞれの通信料金とは異なる料金であって、前記セッションへ参加することによって生じる前記第１および第２の伝送端末のそれぞれの参加料金を、それぞれ算出する参加料金算出部と
を備えることを特徴とする伝送システム。
【請求項１０】
複数の伝送端末がコンテンツデータを送受信するためのセッションであって、前記伝送端末それぞれが参加および退出可能なセッションを管理する伝送管理システムと、
前記複数の伝送端末それぞれの通信料金とは異なる料金であって、前記セッションへ前記複数の伝送端末が参加することによって生じる参加料金を、前記伝送端末毎に管理する料金管理システムと、
を備える伝送システムが実行する伝送方法において、
前記伝送管理システムは、
第１および第２の伝送端末のそれぞれが前記セッションへ参加した時間を示す参加日時と、前記第１および第２の伝送端末のそれぞれが前記セッションから退出した時間を示す退出日時と、を含む履歴情報を管理する参加履歴管理ステップを実行し、
前記料金管理システムは、
前記参加履歴管理ステップによって管理されている前記履歴情報に含まれる前記第１および第２の伝送端末のそれぞれの前記参加日時と前記退出日時とに基づく前記第１および第２の伝送端末のそれぞれの参加時間に応じて、前記第１および第２の伝送端末のそれぞれの通信料金とは異なる料金であって、前記セッションへ参加することによって生じる前記第１および第２の伝送端末のそれぞれの参加料金を、それぞれ算出する参加料金算出ステップを実行することを特徴とする伝送方法。
【手続補正２】
【補正対象書類名】明細書
【補正対象項目名】発明の名称
【補正方法】変更
【補正の内容】
【発明の名称】伝送システム、伝送方法
【手続補正３】
【補正対象書類名】明細書
【補正対象項目名】０００５
【補正方法】変更
【補正の内容】
【０００５】
請求項１に係る発明は、複数の伝送端末がコンテンツデータを送受信するためのセッションであって、前記伝送端末それぞれが参加および退出可能なセッションを管理する伝送管理システムと、前記複数の伝送端末それぞれの通信料金とは異なる料金であって、前記セッションへ前記複数の伝送端末が参加することによって生じる参加料金を、前記伝送端末毎に管理する料金管理システムと、を備える伝送システムにおいて、前記伝送管理システムは、第１および第２の伝送端末のそれぞれが前記セッションへ参加した時間を示す参加日時と、前記第１および第２の伝送端末のそれぞれが前記セッションから退出した時間を示す退出日時と、を含む履歴情報を管理する参加履歴管理部を備え、前記料金管理システムは、前記参加履歴管理部に管理されている前記履歴情報に含まれる前記第１および第２の伝送端末のそれぞれの前記参加日時と前記退出日時とに基づく前記第１および第２の伝送端末のそれぞれの参加時間に応じて、前記第１および第２の伝送端末のそれぞれの通信料金とは異なる料金であって、前記セッションへ参加することによって生じる前記第１および第２の伝送端末のそれぞれの参加料金を、それぞれ算出する参加料金算出部を備えることを特徴とする伝送システムである。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】